(57)【要約】【課題】従来のこの種のハンガーとしては、クリップ吊り下げ具は、チェン状又はプラスチックの紐状の物であり、フレーム折り畳み時にクリップはフレームから乱雑にはみ出してフレームの開閉収容又は整理時に絡み合い、不具合な構造となっていた。【解決手段】この発明は、角型フレームを折り畳む際に、フレーム内にクリップが自動的に整列されて引き込まれるための、ガイド板を持った懸架部を主体として、吊り下げ具、及びフレーム構造を提案し、角ハンガー折り畳み時に、クリップ装着面を上側にして折り畳んでも、逆にクリップ装着面を下側にして折り畳んでも、クリップは整列されて格納され、上記の不具合を解決するものである。【選択図】図１１
2005007101.tif 000002
【特許請求の範囲】
【請求項１】
折り畳み時に、上向、下向の何れの方向にも折り畳むことができ、その際にクリップを本体部へ平行にさせて収納し易くするための、ガイド板を持った吊り下げ具懸架部の構造。
【発明の詳細な説明】
【０００１】
【発明の属する技術分野】
本発明は、クリップ収納式角ハンガーに関し、角型フレームを折り畳む際に、クリップがフレーム内に自動的に引き込まれるためのクリップ吊り具、懸架部、及び懸架部のガイド板の構造に関する。
【０００２】
【従来の技術】
従来のこの種のハンガーとしては、クリップ吊り下げ具が、チェン状又はプラスチックの紐状の物であり、クリップは角型フレームの中に収納されるという構造ではなく、フレーム折り畳み時にクリップはフレームから乱雑にはみ出し、絡み合い、収容又は整理時に不具合な構造となっていた。
【０００３】
【課題を解決するための手段】
本請求人が既に特願平１１−１６５７４７でこの解決に関する技術を提供していたが、この技術に関する本発明の要点は、角ハンガーの折り畳み時に、クリップ装着面を上側にして折り畳んでも、逆に下側にして折り畳んでもクリップが収納され易い構造とし、クリップ吊り下げ具とその懸架部を、折り畳み時にクリップがフレームと平行になるように形成し、且つクリップが収納部に整然と誘導されるように懸架部にガイド板を備えたことである。
【０００４】
本発明によって、フレーム折り畳み時に、何れの方向に折り畳まれてもクリップが自動的に整列され、又フレームと平行に整然と並べられたクリップが、フレームから乱雑にはみだす不具合と、クリップの絡み合いによってフレームの開閉が困難になること防止することができる。
【０００５】
図１は、角ハンガーの外観図を示す。図２は、本発明のクリップ吊り下げ面を上側にして、フレームを上方向に折り畳む方法を示す。図３は、クリップ吊り下げ面を下側にして、フレームを下方向に折り畳む方法を示す。
【０００６】
図４は、クリップ吊り下げ面を上側にして、フレームを上方向に折り畳む時のクリップの整列される状態を示す。図５は、クリップ吊り下げ面を下側にして、フレームを下方向に折り畳む時のクリップの整列される状態を示す。一般に市販されている角ハンガーは、殆どがクリップ吊るし具はチェンであり、折り畳み時に、図３、図４のように整然と並ぶことなく、クリップは雑然と様々な位置で様々な方向を向き、互いに絡み合ったり衝突したりしてフレーム同士が密着することはない。次にフレームを開く時には、チェンが絡み合って容易に開くことができないという状況になる。角ハンガー使用後に折り畳み、家屋の中に収容する場合には不便なものとなる。
【０００７】
図６は、フレームに対するクリップ懸架部の配置を示す。図７はフレームを折り畳んだ時の側面図である。又図８は、その反対側の側面図である。
図９は、本発明によるフレームに付属するクリップ懸架部の平面図、１０は、その側面図、図１１は、外観図である。この懸架部は図６のように角ハンガーのフレームに配置されている。  図９の（１）は、クリップ吊り具を受ける為の断面が円形のバー、（２）と（３）は、そのバーを支え、且つクリップ吊り具の動きを規制する両側のガイド板である。図１０は懸架部の側面図、図１１は懸架部の外観図である。
【０００８】
図１２は、吊り下げ具の平面図、図１３はその断面図である。  （４）は、吊り下げ具の胴体部（５）は懸架部の（１）のバー側に掛けられ、図１３のような断面となっている。断面が平らな状態でバーに接触せず、（５）の断面に示すような、角度を持った山形で接触する。このため、吊り下げ具は、懸架部の所定の余裕間隙によって若干の動きの自由度が確保され、クリップの使用時に、硬直的な動作による不便を与えることはない。（６）は、吊り下げ具のクリップ接触部で、クリップのスプリング（８）の角度と同じ角度の断面となっている。この部分は、本人が  特願平１１−１６５７４７  によって  特許出願の構造のように角度はなくてもよい。  クリップのバネの形態に合わせてクリップを垂直に吊る形に成形する。  図１４は、クリップが収納された状態の断面図、図１５は、角ハンガーのフレームが反対側の方向に折り畳まれた場合における、クリップの収納状態の断面図である。（７）は、クリップのプラスチック本体部、（８）は、クリップのバネ（９）は、角ハンガーの本体フレームである。図１４及び図１５に示すように角ハンガー折り畳み時に、何れの方向に畳んでもフレームに平行の状態に整列される。
【０００９】
図１６は、クリップ装着面を上側ににして折り畳む場合におけるクリップの懸架部、クリップ吊り具、及びフレームに対するクリップの吊り下げ状態を示す。図１７は、クリップ装着面を下側ににして折り畳む場合におけるクリップの懸架部、クリップ吊り具、及びフレームに対するクリップの吊り下げ状態を示す。フレーム折り畳み時にクリップ吊り具は、（２）と（３）のガイド板によって動きが規制され、本体フレームに対し、直角に近い状態で回転する。以上の結果、完全折り畳み時に、全てのクリップは同じ方向に整然と整列される状態となり、クリップの絡み合いは完全に防止できる。
次にフレームへ  図１６、図１７の（１０）の窪みを成形することによってクリップとその吊り具は、フレーム折り畳み時に１８０度回転が可能となり、フレーム折り畳み時に、何れの方向に折り畳んでもクリップの整列が可能となる。
本発明の効果は、クリップの懸架部の構造におけるガイド板（２）、（３）の効果とクリップ吊り具（４）の構造、窪み（１０）を持ったフレーム構造によって、フレーム（７）をクリップ装着面を上側または下側にした状態で、何れの方向へも折り畳みを可能とさせることである。
【図面の簡単な説明】
【図１】角ハンガーの全体図である。
【図２】角ハンガーのクリップ装着面を上にした状態で、フレームを折り畳む状況図。
【図３】角ハンガーのクリップ装着面を下にした状態で、フレームを折り畳む状況図。
【図４】角ハンガーのクリップ装着面を上にした状態で、フレームを折り畳んだ時のプリップの配置状況図。
【図５】角ハンガーのクリップ装着面を下にした状態で、フレームを折り畳んだ時のプリップの配置状況図。
【図６】クリップ吊り具懸架部の配置図
【図７】角ハンガーのフレームを折り畳んだ時の側面図である。
【図８】図７と反対側から見た側面図である。
【図９】クリップ吊り具懸架部の平面図の図。
【図１０】クリップ吊り具懸架部の側面図。
【図１１】クリップ吊り具懸架部の外観図。
【図１２】クリップ吊り具平面図
【図１３】クリップ吊り具断面図
【図１４】クリップが収納された状態の断面図、
【図１５】角ハンガーのフレームが図１４の反対側の方向に折り畳まれた場合における、クリッが収納された状態の断面図。
【図１６】クリップ装着面を上側ににして折り畳む場合におけるクリップの懸架部、クリップ吊り具、及びフレームに対するクリップの吊り下げ状態図。
【図１７】クリップ装着面を下側ににして折り畳む場合におけるクリップの懸架部、クリプ吊り具、及びフレームに対するクリップの吊り下げ状態図
【符号の説明】
（１）  クリップ吊り具を受ける懸架部のバー
（２）  クリップ吊り具を受ける懸架部のバーを保持するガイド板
（３）  同上
（４）  クリップ吊り具胴体部
（５）  クリップ吊り具の懸架部側
（６）  クリップ吊り具のクリップバネ側
（７）  クリップ本体
（８）  クリップのバネ
（９）  角ハンガー本体フレーム
（１０）角ハンガー本体フレームに成形された窪み部
【図１】
2005007101.tif 000003
【図２】
2005007101.tif 000004
【図３】
2005007101.tif 000005
【図４】
2005007101.tif 000006
【図５】
2005007101.tif 000007
【図６】
2005007101.tif 000008
【図７】
2005007101.tif 000009
【図８】
2005007101.tif 000010
【図９】
2005007101.tif 000011
【図１０】
2005007101.tif 000012
【図１１】
2005007101.tif 000013
【図１２】
2005007101.tif 000014
【図１３】
2005007101.tif 000015
【図１４】
2005007101.tif 000016
【図１５】
2005007101.tif 000017
【図１６】
2005007101.tif 000018
【図１７】
2005007101.tif 000019